【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムにおいて、
前記クライアント端末に設けられ、前記サーバに格納されたデータを指定して前記サーバに印刷実行依頼を送信する印刷実行依頼手段と、
前記サーバに設けられ、前記印刷実行依頼手段によって送信された印刷実行依頼を受信して、前記指定されたデータに係る印刷情報を作成して前記クライアント端末に送信する印刷情報送信手段と、
前記クライアント端末に設けられ、前記印刷情報送信手段によって送信された印刷情報を受信して、該印刷情報に基づいて、前記指定されたデータに対する印刷データ生成処理を自装置において行うべきか否かを判定する判定手段と、
前記クライアント端末に設けられ、前記判定手段によって得られた判定結果を前記サーバに送信する判定結果送信手段と、
前記サーバに設けられ、前記判定結果送信手段によって送信された判定結果に基づいて、前記印刷データ生成処理を自装置で行うべきと判断した場合は、前記指定されたデータに対する印刷データ生成処理を行う印刷データ生成処理手段と
を有することを特徴とする印刷システム。
【請求項２】
前記印刷情報は、印刷設定情報、データ作成を行ったアプリケーションプログラムの識別情報、及びデータ量のうちの少なくとも１つを含むことを特徴とする請求項１記載の印刷システム。
【請求項３】
前記判定手段は、前記印刷情報送信手段によって送信された印刷情報に基づいて、イメージ展開モードが指定されているか否かの判定、印刷データ生成処理が可能なアプリケーションプログラムであるか否かの判定、および自装置が印刷データ生成処理を行うことの可能なデータ量であるか否かの判定のうちの少なくとも１つを実行することを特徴とする請求項１または２記載の印刷システム。
【請求項４】
前記サーバに設けられ、前記判定結果送信手段によって送信された判定結果に基づいて、前記指定されたデータに対する印刷データ生成処理を前記クライアント端末で行うべきと判断した場合に、前記クライアント端末に、前記指定されたデータと該指定されたデータに係る印刷設定情報とを送信するデータ送信手段と、
前記クライアント端末に設けられ、前記データ送信手段により送信された前記指定されたデータと前記印刷設定情報とに基づいて印刷データを生成する印刷データ生成手段と、
前記クライアント端末に設けられ、前記印刷データ生成手段によって生成された印刷データを前記画像形成装置に送信する印刷データ送信手段と
を更に有することを特徴とする請求項１記載の印刷システム。
【請求項５】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムにおいて、
前記クライアント端末に設けられ、前記サーバに格納されたデータを指定して前記サーバに印刷実行依頼を送信する印刷実行依頼手段と、
前記サーバに設けられ、前記印刷実行依頼手段によって送信された印刷実行依頼を受信して、前記指定されたデータに含まれる第１及び第２のデータのうち第１のデータに対して印刷データ生成処理を行い、得られた第１の印刷データを予め決められた記憶場所に格納する生成格納手段と、
前記サーバに設けられ、前記第２のデータと、前記格納された第１の印刷データを特定するための識別情報とを前記クライアント端末に送信する第１の送信手段と、
前記クライアント端末に設けられ、前記第１の送信手段によって送信された第２のデータと識別情報とを受信して、該第２のデータに対して印刷データ生成処理を行い、得られた第２の印刷データを、前記識別情報とともに、前記画像形成装置に送信する第２の送信手段と、
前記画像形成装置に設けられ、前記第２の送信手段によって送信された第２の印刷データと識別情報とを受信し、該識別情報に基づき、前記第１の印刷データを取得し、該第１の印刷データ及び前記第２の印刷データに基づき印刷を行う印刷手段と
を有することを特徴とする印刷システム。
【請求項６】
前記第１のデータは帳票データであり、前記第２のデータは文書データまたは画像データであることを特徴とする請求項５記載の印刷システム。
【請求項７】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムにおいて、
前記画像形成装置に設けられ、自装置おいて印刷処理中に動作異常が発生したとき、エラー通知を前記サーバに送信するエラー通知手段と、
前記サーバに設けられ、前記エラー通知手段によって送信されたエラー通知を受信すると、該エラー通知が対象としている印刷データを自装置で再送するか前記クライアント端末で再送するか判断する判断手段と、
前記サーバに設けられ、前記判断手段による判断の結果、前記対象印刷データの再送を前記クライアント端末で行うと判断された場合、前記クライアント端末に対して前記対象印刷データの再送依頼を送信する再送依頼送信手段と、
前記クライアント端末に設けられ、前記再送依頼送信手段から送信された再送依頼を受信すると、自装置に保存されていた前記対象印刷データを前記画像形成装置に送信する第１の印刷データ送信手段と
を有することを特徴とする印刷システム。
【請求項８】
前記サーバに設けられ、前記判断手段は前記対象印刷データが前記クライアント端末に保存されているか否か判断し、前記対象印刷データが前記クライアント端末に保存されていないならば、自装置に保存されている前記対象印刷データを前記画像形成装置に送信する第２の印刷データ送信手段を更に有することを特徴とする請求項７記載の印刷システム。
【請求項９】
前記サーバに設けられ、前記判断手段は前記対象印刷データが前記クライアント端末に保存されているか否か判断し、前記対象印刷データが前記クライアント端末に保存されていないならば、前記対象印刷データを作成して前記画像形成装置に送信する第３の印刷データ送信手段を更に有することを特徴とする請求項７記載の印刷システム。
【請求項１０】
前記判断手段は、前記クライアント端末に、前記対象印刷データの保存の有無を問い合わせることによって、前記判断を行うことを特徴とする請求項７記載の印刷システム。
【請求項１１】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムに適用される印刷処理方法において、
前記クライアント端末が、前記サーバに格納されたデータを指定して前記サーバに印刷実行依頼を送信する印刷実行依頼ステップと、
前記サーバが、前記印刷実行依頼ステップにおいて送信された印刷実行依頼を受信して、前記指定されたデータに係る印刷情報を作成して前記クライアント端末に送信する印刷情報送信ステップと、
前記クライアント端末が、前記印刷情報送信ステップにおいて送信された印刷情報を受信して、該印刷情報に基づいて、前記指定されたデータに対する印刷データ生成処理を自装置において行うべきか否かを判定する判定ステップと、
前記クライアント端末が、前記判定ステップにおいて得られた判定結果を前記サーバに送信する判定結果送信ステップと、
前記サーバが、前記判定結果送信ステップにおいて送信された判定結果に基づいて、前記印刷データ生成処理を自装置で行うべきと判断した場合は、前記指定されたデータに対する印刷データ生成処理を行う印刷データ生成処理ステップと
を有することを特徴とする印刷処理方法。
【請求項１２】
前記サーバが、前記判定結果送信ステップにおいて送信された判定結果に基づいて、前記指定されたデータに対する印刷データ生成処理を前記クライアント端末で行うべきと判断した場合に、前記クライアント端末に、前記指定されたデータと該指定されたデータに係る印刷設定情報とを送信するデータ送信ステップと、
前記クライアント端末が、前記データ送信ステップにおいて送信された前記指定されたデータと前記印刷設定情報とに基づいて印刷データを生成する印刷データ生成ステップと、
前記クライアント端末が、前記印刷データ生成ステップにおいて生成された印刷データを前記画像形成装置に送信する印刷データ送信ステップと
を更に有することを特徴とする請求項１２記載の印刷処理方法。
【請求項１３】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムに適用される印刷処理方法において、
前記クライアント端末が、前記サーバに格納されたデータを指定して前記サーバに印刷実行依頼を送信する印刷実行依頼ステップと、
前記サーバが、前記印刷実行依頼ステップにおいて送信された印刷実行依頼を受信して、前記指定されたデータに含まれる第１及び第２のデータのうち第１のデータに対して印刷データ生成処理を行い、得られた第１の印刷データを予め決められた記憶場所に格納する生成格納ステップと、
前記サーバが、前記第２のデータと、前記格納された第１の印刷データを特定するための識別情報とを前記クライアント端末に送信する第１の送信ステップと、
前記クライアント端末が、前記第１の送信ステップにおいて送信された第２のデータと識別情報とを受信して、該第２のデータに対して印刷データ生成処理を行い、得られた第２の印刷データを、前記識別情報とともに、前記画像形成装置に送信する第２の送信ステップと、
前記画像形成装置が、前記第２の送信ステップにおいて送信された第２の印刷データと識別情報とを受信し、該識別情報に基づき、前記第１の印刷データを取得し、該第１の印刷データ及び前記第２の印刷データに基づき印刷を行う印刷ステップと
を有することを特徴とする印刷処理方法。
【請求項１４】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムに適用される印刷処理方法において、
前記画像形成装置が、自装置おいて印刷処理中に動作異常が発生したとき、エラー通知を前記サーバに送信するエラー通知ステップと、
前記サーバが、前記エラー通知ステップにおいて送信されたエラー通知を受信すると、該エラー通知が対象としている印刷データを自装置で再送するか前記クライアント端末で再送するか判断する判断ステップと、
前記サーバが、前記判断ステップによる判断の結果、前記対象印刷データの再送を前記クライアント端末で行うと判断された場合、前記クライアント端末に対して前記対象印刷データの再送依頼を送信する再送依頼送信ステップと、
前記クライアント端末が、前記再送依頼送信ステップにおいて送信された再送依頼を受信すると、自装置に保存されていた前記対象印刷データを前記画像形成装置に送信する第１の印刷データ送信ステップと
を有することを特徴とする印刷処理方法。
【請求項１５】
前記サーバが、前記判断ステップは前記対象印刷データが前記クライアント端末に保存されているか否か判断し、前記対象印刷データが前記クライアント端末に保存されていないならば、自装置に保存されている前記対象印刷データを前記画像形成装置に送信する第２の印刷データ送信ステップを更に有することを特徴とする請求項１４記載の印刷処理方法。
【請求項１６】
前記サーバが、前記判断ステップは前記対象印刷データが前記クライアント端末に保存されているか否か判断し、前記対象印刷データが前記クライアント端末に保存されていないならば、前記対象印刷データを作成して前記画像形成装置に送信する第３の印刷データ送信ステップを更に有することを特徴とする請求項１４記載の印刷処理方法。
【請求項１７】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムに適用される印刷処理方法を、コンピュータに実行させるためのプログラムにおいて、
前記クライアント端末が、前記サーバに格納されたデータを指定して前記サーバに印刷実行依頼を送信する印刷実行依頼ステップと、
前記サーバが、前記印刷実行依頼ステップにおいて送信された印刷実行依頼を受信して、前記指定されたデータに係る印刷情報を作成して前記クライアント端末に送信する印刷情報送信ステップと、
前記クライアント端末が、前記印刷情報送信ステップにおいて送信された印刷情報を受信して、該印刷情報に基づいて、前記指定されたデータに対する印刷データ生成処理を自装置において行うべきか否かを判定する判定ステップと、
前記クライアント端末が、前記判定ステップにおいて得られた判定結果を前記サーバに送信する判定結果送信ステップと、
前記サーバが、前記判定結果送信ステップにおいて送信された判定結果に基づいて、前記印刷データ生成処理を自装置で行うべきと判断した場合は、前記指定されたデータに対する印刷データ生成処理を行う印刷データ生成処理ステップと
を有することを特徴とするプログラム。
【請求項１８】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムに適用される印刷処理方法を、コンピュータに実行させるためのプログラムにおいて、
前記クライアント端末が、前記サーバに格納されたデータを指定して前記サーバに印刷実行依頼を送信する印刷実行依頼ステップと、
前記サーバが、前記印刷実行依頼ステップにおいて送信された印刷実行依頼を受信して、前記指定されたデータに含まれる第１及び第２のデータのうち第１のデータに対して印刷データ生成処理を行い、得られた第１の印刷データを予め決められた記憶場所に格納する生成格納ステップと、
前記サーバが、前記第２のデータと、前記格納された第１の印刷データを特定するための識別情報とを前記クライアント端末に送信する第１の送信ステップと、
前記クライアント端末が、前記第１の送信ステップにおいて送信された第２のデータと識別情報とを受信して、該第２のデータに対して印刷データ生成処理を行い、得られた第２の印刷データを、前記識別情報とともに、前記画像形成装置に送信する第２の送信ステップと、
前記画像形成装置が、前記第２の送信ステップにおいて送信された第２の印刷データと識別情報とを受信し、該識別情報に基づき、前記第１の印刷データを取得し、該第１の印刷データ及び前記第２の印刷データに基づき印刷を行う印刷ステップと
を有することを特徴とするプログラム。
【請求項１９】
ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムに適用される印刷処理方法を、コンピュータに実行させるためのプログラムにおいて、
前記画像形成装置が、自装置おいて印刷処理中に動作異常が発生したとき、エラー通知を前記サーバに送信するエラー通知ステップと、
前記サーバが、前記エラー通知ステップにおいて送信されたエラー通知を受信すると、該エラー通知が対象としている印刷データを自装置で再送するか前記クライアント端末で再送するか判断する判断ステップと、
前記サーバが、前記判断ステップによる判断の結果、前記対象印刷データの再送を前記クライアント端末で行うと判断された場合、前記クライアント端末に対して前記対象印刷データの再送依頼を送信する再送依頼送信ステップと、
前記クライアント端末が、前記再送依頼送信ステップにおいて送信された再送依頼を受信すると、自装置に保存されていた前記対象印刷データを前記画像形成装置に送信する第１の印刷データ送信ステップと
を有することを特徴とするプログラム。
【請求項２０】
クライアント端末及び画像形成装置と接続され、データを格納するサーバであって、
前記サーバに格納されたデータを指定した印刷実行依頼を、前記クライアント端末から受信する第1の受信手段と、
前記受信した印刷実行依頼によって指定されたデータに係る印刷情報を前記クライアント端末に送信する送信手段と、
前記指定されたデータに対する印刷データ生成処理を前記クライアント端末で行うべきか否かを示す情報を、前記クライアント端末から受信する第２の受信手段と、
前記第２の受信手段によって受信された情報に基づいて、前記印刷データ生成処理を自装置で行うべきと判断した場合は、前記指定されたデータに対する印刷データ生成処理を行う印刷データ生成処理手段と、
を有することを特徴とするサーバ。
【請求項２１】
クライアント端末及び画像形成装置と接続され、前記クライアント端末からの印刷実行依頼に従い、自装置に格納されたデータに基づいて前記画像形成装置に印刷を行わせるサーバであって、
前記画像形成装置から、印刷処理中に発生したエラーに基づくエラー通知を受信する受信手段と、
前記受信手段によってエラー通知を受信した場合、当該エラー通知が対象としている印刷データを自装置で再送するか前記クライアント端末で再送するかを判断する判断手段と、
前記判断手段による判断の結果、前記対象印刷データの再送を前記クライアント端末で行うと判断された場合、前記クライアント端末に対して前記対象印刷データの再送依頼を送信する再送依頼送信手段と、
前記判断手段による判断の結果、前記対象印刷データの再送を自装置で行うと判断された場合、前記対象印刷データを前記画像形成装置に送信する送信手段と、
を有することを特徴とするサーバ。
【手続補正２】
【補正対象書類名】明細書
【補正対象項目名】発明の名称
【補正方法】変更
【補正の内容】
【発明の名称】印刷システム、印刷処理方法、及びプログラム、並びにサーバ
【手続補正３】
【補正対象書類名】明細書
【補正対象項目名】０００１
【補正方法】変更
【補正の内容】
【０００１】
本発明は、印刷システム、印刷処理方法、及びプログラム、並びにサーバに関し、特に、ネットワークで接続されたクライアント端末とサーバと画像形成装置とを有し、クライアント端末からの印刷実行依頼に従い、サーバに格納されたデータに基づいて、画像形成装置において印刷を行う印刷システム、該印刷システムに適用される印刷処理方法、及び該印刷処理方法をコンピュータに実行させるためのプログラム、並びにサーバに関する。
【手続補正４】
【補正対象書類名】明細書
【補正対象項目名】００１７
【補正方法】変更
【補正の内容】
【００１７】
本発明はこのような問題点に鑑みてなされたものであって、ＳＢＣシステムを採用した印刷システムにおいて、印刷実行時にサーバの負荷を軽減し、印刷をスムーズに行うことを可能にした印刷システム、印刷処理方法、及びプログラム、並びにサーバを提供することを目的とする。
【手続補正５】
【補正対象書類名】明細書
【補正対象項目名】００１８
【補正方法】変更
【補正の内容】
【００１８】
上記目的を達成するために、請求項１記載の印刷システムは、ネットワークで接続されたクライアント端末とサーバと画像形成装置とを有し、前記クライアント端末からの印刷実行依頼に従い、前記サーバに格納されたデータに基づいて、前記画像形成装置において印刷を行う印刷システムにおいて、前記クライアント端末に設けられ、前記サーバに格納されたデータを指定して前記サーバに印刷実行依頼を送信する印刷実行依頼手段と、前記サーバに設けられ、前記印刷実行依頼手段によって送信された印刷実行依頼を受信して、前記指定されたデータに係る印刷情報を作成して前記クライアント端末に送信する印刷情報送信手段と、前記クライアント端末に設けられ、前記印刷情報送信手段によって送信された印刷情報を受信して、該印刷情報に基づいて、前記指定されたデータに対する印刷データ生成処理を自装置において行うべきか否かを判定する判定手段と、前記クライアント端末に設けられ、前記判定手段によって得られた判定結果を前記サーバに送信する判定結果送信手段と、前記サーバに設けられ、前記判定結果送信手段によって送信された判定結果に基づいて、前記印刷データ生成処理を自装置で行うべきと判断した場合は、前記指定されたデータに対する印刷データ生成処理を行う印刷データ生成処理手段とを有することを特徴とする。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】